【事件の表示】
　平成１０年特許願第　７８５８２号「Ｘ線透視撮影台」拒絶査定不服審判事件〔平成１１年　９月２４日出願公開、特開平１１−２６１８９２〕について、次のとおり審決する。
【結　論】
　本件審判の請求は、成り立たない。
【理　由】
第１　手続の経緯
　本願は，平成１０年３月１２日の出願であって，平成１９年８月３１日付けで拒絶査定がなされ，これに対し，同年１０月１０日に拒絶査定不服審判が請求されるとともに，同年１１月９日付けで手続補正がなされたものである。
　
第２　平成１９年１１月９日付けの手続補正（以下「本件補正」という。）についての補正却下の決定
　［補正却下の決定の結論］
　　本件補正を却下する。
　
　［理由］
１　本件補正の内容
　本件補正は，特許請求の範囲の請求項１を，
「【請求項１】
　Ｘ線を照射させるＸ線管と，Ｘ線画像を電気的に記憶し，読み出す２次元Ｘ線検出器と，Ｘ線透視画像を撮影するイメージインテンシファイアと，前記２次元Ｘ線検出器を移動させる移動手段とを備え，
　
前記Ｘ線透視画像を撮影する際，
照射外である退避位
　
前記Ｘ線画像を撮影する際，
前記退避位から撮影位に
　
前記Ｘ線画像を撮影終了後，
前記退避位に
させ
前記退避位において
　
２　本件補正の適否について　
　上記請求項１についての補正は，本件補正前の特許請求の範囲の請求項１に係る発明を特定するために必要な事項のうち，
（１）「前記２次元Ｘ線検出器は前記Ｘ線の照射外に位置させて」を「
前記Ｘ線透視画像を撮影する際，
照射外である退避位
（２）「前記移動手段により前記２次元Ｘ線検出器を撮影位に移動させ」を「
前記Ｘ線画像を撮影する際，
前記退避位から撮影位に
（３）「前記移動手段により前記２次元Ｘ線検出器が前記Ｘ線の照射外に移動されて，前記２次元Ｘ線検出器に記憶された前記画像データが読み出され」を「
前記Ｘ線画像を撮影終了後，
前記退避位に
させ
前記退避位において
ものであるから，特許請求の範囲の減縮を目的とするものであるといえる。
　
　そうすると，本件補正は，平成１８年法律第５５号改正附則第３条第１項によりなお従前の例によるとされる同法による改正前の特許法第１７条の２第４項第２号の特許請求の範囲の減縮を目的とするものに該当する。
　
３　独立特許要件について　
　そこで，本件補正後の請求項１に係る発明（以下「本願補正発明」という。）が特許出願の際に独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について以下に検討する。　
　
（１）　引用刊行物の記載事項　
　原査定の拒絶の理由において引用された特開平３−５３２３８号公報（以下「刊行物１」という。）には，図面と共に次の事項が記載されている。
 　 
（１−ア）
「２．特許請求の範囲
　　透視モードと撮影モードとが設定可能であって，定常時にはイメージインテンシファイヤ及び透視用グリッドがＸ線照射野に固定配置されており，撮影モードが設定されるとＸ線フィルム密着ホルダ及び撮影用グリッドがＸ線照射野に飛込み配置されると共に前記撮影用グリッドが揺動され得るＸ線透視撮影装置において，前記撮影用グリッドを固定するグリッド固定用フレームと，このグリッド固定用フレームを待機位置と撮影位置との間で移動させ得且つ前記移動中及び前記撮影位置にて揺動させ得るグリッド揺動用レールと，Ｘ線フィルム密着ホルダを待機位置と撮影位置との間で移動させるためのホルダ駆動用フレームと，前記Ｘ線フィルム密着ホルダを移動させるため前記ホルダ駆動用フレームを移動させる駆動機構とを有し，前記グリッド固定用フレームと前記ホルダ駆動用フレームとの間に，前記駆動機構を駆動して前記ホルダ駆動用フレームを前記待機位置と前記撮影位置との間で移動したとき前記ホルダ駆動用フレームに従動して前記グリッド固定用フレームを前記グリッド揺動用レールに沿って前記待機位置と前記撮影位置との間で移動させる従動機構を具備したことを特徴とするＸ線透視撮影装置。」（１頁左下欄４行〜右下欄７行）
　
（１−イ） 
「　（従来の技術）
　　Ｘ線画像診断においては，被検体から発生する散乱線を除去し，画像のコントラスト及び鮮鋭度を改善するためグリッドと称されるものを用いる。この場合，弱いＸ線を用い例えばイメージインテンシファイヤ（以下，「ｌ．Ｉ．」と称する。）及びＴＶカメラを画像入力手段とする透視モードと，強いＸ線を用いＸ線フィルムやイメ−ジングプレートを画像入力手段とする撮影モードとでは，自ずと使用すべきグリットは異なっている。
　以下，透視モードと撮影モードとが設定可能であって，透視用グリッド及び撮影用グリッドを持つＸ線透視撮影装置を第６図を参照して説明する。第６図は，Ｘ線透視撮影装置の主に画像入力部を示す図であり，画像入力部１は，Ｘ線源１に対向して配置されている。この画像入力部（容器）１には，Ｉ．Ｉ．３，フイルムマガジン４が備わり，また，Ｉ．１．３の前面には透視用グリッド５が固定されており，Ｘ線フィルム密着ホルダ６及び撮影用グリッド７が移動自在に配置されている。ここで，Ｘ線フィルム密着ホルダ６及び撮影用グリッド７は，実線にて撮影位置を示し，一点鎖線で待機位置を示している。
　ここで，定常である透視モードにあっては，透視用グリッド５はＩ．１．３の前面に固定されており，これにより，グリッド補償された透視画像を得ることができ，撮影モードが設定されると，待機位置にあったＸ線フィルム密着ホルダ６及び撮影用グリッド７が撮影位置に飛び込むと共に撮影用グリッド７は揺動し，これにより，グリッド捕償された撮影画像を得ることができ，その後，再び，Ｘ線フィルム密着ホルダ６及び撮影用グリッド７は待機位置に戻る。このように，撮影モード実行のためには，撮影用グリッド７の移動（飛込み）機構と，撮影用グリッド７の揺動機構とをそれぞれ必要とし，且つ現実に２系統の機構を装備していた。
　　（発明が解決しようとする課題）
　　従来の構成にあっては，前述した２系統の機構の他に，Ｘ線フィルム密着ホルダ６の移動（飛込み）機構を必要とするので，装置が複雑且つ大型化してしまう。
　また，Ｘ線フィルム密着ホルダ６の移動（飛込み）機構と撮影用グリッド７の移動（飛込み）機構とは同期駆動されなければならないが，通常に行われる電気的制御法では，負荷変動等により同期が取れないことがある。
　さらに，撮影用グリッド７が撮影位置に到達してから揺動する構成であるので，時間のロスがある。
　そこで本発明の目的は，撮影用グリッドの移動（飛込み）と撮影用グリッドの揺動とを１系統の機構により実現し，また，Ｘ線フィルム密着ホルダの移動（飛込み）と撮影用グリッドの移動（飛込み）とを機械的に同期駆動されるようにし，さらに，撮影用グリッドが撮影位置に到達する前から揺動できるようにしたＸ線透視撮影装置を提供することにある。」（１頁右下欄１３行〜２頁左下欄１１行）
　
　これらの記載事項と図面を総合すると，刊行物１には，以下の発明が記載されていると認められる。　
「透視モードと撮影モードとが設定可能であって，定常時にはイメージインテンシファイヤ及び透視用グリッドがＸ線照射野に固定配置されており透視画像を得ることができ，撮影モードが設定されると，待機位置にあったＸ線フィルム密着ホルダ及び撮影グリッドが待機位置と撮影位置との間で移動させるための機構により撮影位置に飛び込み，グリッド補償された撮影画像を得，その後，再び，Ｘ線フィルム密着ホルダ及び撮影用グリッドは待機位置に戻るＸ線透視撮影装置。」（以下「引用発明」という。）                
（２）　対比
　引用発明と本願補正発明とを対比すると，
ア）その機能・構造からみて，引用発明が「Ｘ線を照射させるＸ線管」を具備していることは明らかである。
イ）引用発明の「透視モード」，「撮影モード」，「イメージインテンシファイア」，「待機位置」，「撮影位置」，「Ｘ線透視撮影装置」が，それぞれ，本願補正発明の「前記Ｘ線透視画像を撮影する際」，「前記Ｘ線画像を撮影する際」，「Ｘ線透視画像を撮影するイメージインテンシファイア」，「Ｘ線の照射外である退避位」，「撮影位」，「Ｘ線透視撮影台」に相当することは明らかである。
ウ）Ｘ線検出器の分野において，「Ｘ線フィルム」が「２次元Ｘ線検出器」の一例であることは本願出願前に周知の事項である（必要であれば，特開平９−１０１２７０号公報の段落【００１３】及び特開平９−１１９９０６号公報の段落【０００９】参照）。そうすると，引用発明の「Ｘ線フィルム」と本願補正発明の「Ｘ線画像を電気的に記憶し，読み出す２次元Ｘ線検出器」は「２次元Ｘ線検出器」である点で共通し，引用発明の「待機位置にあったＸ線フィルム密着ホルダ及び撮影グリッドが待機位置と撮影位置との間で移動させるための機構」が本願補正発明の「前記２次元Ｘ線検出器を移動させる移動手段」に相当することは明らかである。
エ）引用発明は「定常時にはイメージインテンシファイヤ及び透視用グリッドがＸ線照射野に固定配置されており透視画像を得ることができ，撮影モードが設定されると，待機位置にあったＸ線フィルム密着ホルダ及び撮影グリッドが待機位置と撮影位置との間で移動させるための機構により撮影位置に飛び込み，グリッド補償された撮影画像を得」ることから，本願補正発明のように「前記Ｘ線透視画像を撮影する際，前記２次元Ｘ線検出器を前記Ｘ線の照射外である退避位に位置させて，前記イメージインテンシファイアで前記Ｘ線透視画像が撮影」されることは明らかである。
　
　そうすると，両者は，
（一致点）　
「Ｘ線を照射させるＸ線管と，２次元Ｘ線検出器と，Ｘ線透視画像を撮影するイメージインテンシファイアと，前記２次元Ｘ線検出器を移動させる移動手段とを備え，
　前記Ｘ線透視画像を撮影する際，前記２次元Ｘ線検出器を前記Ｘ線の照射外である退避位に位置させて，前記イメージインテンシファイアで前記Ｘ線透視画像が撮影され，
　前記Ｘ線画像を撮影する際，前記移動手段により前記２次元Ｘ線検出器を前記退避位から撮影位に移動させ，前記Ｘ線画像が速写撮影され，
　前記Ｘ線画像を撮影終了後，前記移動手段により前記２次元Ｘ線検出器を前記退避位に移動させるＸ線透視撮影台。」　
である点で一致し，以下の点で相違するといえる。　
　
（相違点）　
　２次元Ｘ線検出器が，本願補正発明では，「Ｘ線画像を電気的に記憶し，読み出す２次元Ｘ線検出器」であって，「退避位において前記２次元Ｘ線検出器に記憶された前記画像データが読み出され，前記Ｘ線画像が作成される」のに対して，引用発明は「Ｘ線フィルム」である点。
　
（３）　相違点についての当審の判断　
　引用発明では，撮影モードで用いられる２次元Ｘ線検出器は「Ｘ線フィルム」であるが，上記（１−イ）によると，撮影モードの際には，Ｘ線フィルムのみならず，イメージングプレートも画像入力手段として用いることができる旨記載されている。そして，刊行物１の明細書全体の記載を参酌すると，「Ｘ線フィルム」を「イメージングプレート」に置き換えたとしても，撮影用グリッドの移動（飛込み）と撮影用グリッドの揺動とを１系統の機構で実現するとともに，Ｘ線フィルム（置き換えた場合は，イメージングプレート）密着ホルダの移動（飛込み）と撮影用グリッドの移動（飛込み）とを機械的に同期駆動するという刊行物１の目的を変更するものではない。そうすると，引用発明の「Ｘ線フィルム」に換えて「イメージングプレート」を「２次元Ｘ線検出器」として用いることができることは明らかである。 
　また，「イメージングプレート」とは，光輝尽性発光物質を用いてＸ線の線量に応じて電気信号を出力することができる蓄積性蛍光体を意味することは，本願出願前に周知の事項であるといえる。例えば，特開昭５９−４５号公報には「イメージングプレート２０は，Ｘ線の線量に応じた電荷量をその表面に蓄積し，電荷量を蓄積した表面に熱あるいは光エネルギによる輝尽用の読み出し照射を行うと電荷量に応じた電気信号を出力することのできる厚さ約１mmの蓄積性蛍光体であり」（４頁左上欄７〜１２行）と記載されている。そして，光輝尽性発光物質を用いてＸ線の線量に応じて電気信号を出力する装置として，Ｘ線画像を電気的に記憶し，読み出すことができる２次元Ｘ線検出器は，本願出願前に周知の事項である。例えば，特開昭６１−６２２８３号公報には「大視野蛍光体１１（たとえば４０ｃｍ×４０ｃｍ）と，これに順次密着して設置されたライトガイド１２と半導体光検出器１３とからなるものに代えたことである。・・・蛍光体１１の出力面の大部分を密着して覆う大視野の半導体検出器１３としては，例えば以下のような構成のものを使うことができる。即ち，視野４０ｃｍ×４０ｃｍ程度の大面積を実現するには，単結晶材料では不可能なので，例えばアモルファスシリコン材料を用いる。基本回路構成としては第２図に示す回路が実現可能である。即ち，第２図に示す回路の動作原理は，先ず蛍光体１１から発生した蛍光がフォトセル１４で電流に変換され，電極間容量１５に蓄積される。Ｘ線の曝射が終了し，電極間容量１５への電荷蓄積が完了した後，シフトレジスタ１７がＭＯＳスイッチ１６を順次スイッチングして，各画素からの信号を時系列に読み出すという原理である。」（２頁左下欄１行〜右下欄３行）と記載されている。
　そうすると，引用発明のＸ線フィルムに換えるイメージングプレートとして，「Ｘ線画像を電気的に記憶し，読み出すことができる」ものを採用することは単なる設計事項に過ぎないといえ，また，引用発明では，定常時にはＸ線フィルム密着ホルダは待機位置にあり，撮影画像を得た後は，再び，Ｘ線フィルム密着ホルダは待機位置に戻ることから，イメージングプレートからの画像読み出しを待機位置で行いＸ線画像を形成することはイメージングプレートを採用したことによる必然的な設計変更に過ぎないというべきである。　
　そして，本願補正発明に係る効果も，引用発明及び周知の事項から予測し得る範囲内であり，格別顕著なものであるとはいえない。
 　 
　よって，本願補正発明は，引用発明及び周知の事項に基づいて当業者が容易に発明をすることができたものであるから，特許法第２９条第２項の規定により，特許出願の際に独立して特許を受けることができないものである。　
　　
４　まとめ　
　以上のとおりであるから，本件補正は，平成１８年法律第５５号改正附則第３条第１項によりなお従前の例によるとされる同法による改正前の特許法第１７条の２第５項において準用する同法第１２６条第５項の規定に違反するので，特許法第１５９条第１項の規定において読み替えて準用する同法第５３条第１項の規定により，却下すべきものである。
　
第３　本願発明について
１　本願発明　
　本件補正は上記のとおり却下されることとなったので，本願の請求項１に係る発明は，平成１９年７月１８日付けの手続補正書により補正された明細書および図面の記載からみて，その特許請求の範囲の請求項１に記載された事項により特定されるものであると認められ，その請求項１は次のとおりである。（以下「本願発明」という。）　
　　
「【請求項１】
　Ｘ線を照射させるＸ線管と，Ｘ線画像を電気的に記憶し，読み出す２次元Ｘ線検出器と，Ｘ線透視画像を撮影するイメージインテンシファイアと，前記２次元Ｘ線検出器を移動させる移動手段とを備え，前記２次元Ｘ線検出器は前記Ｘ線の照射外に位置させて，前記イメージインテンシファイアで前記Ｘ線透視画像が撮影され，前記移動手段により前記２次元Ｘ線検出器を撮影位に移動させ，前記Ｘ線画像が速写撮影され，前記２次元Ｘ線検出器に画像データが記憶され，前記移動手段により前記２次元Ｘ線検出器が前記Ｘ線の照射外に移動されて，前記２次元Ｘ線検出器に記憶された前記画像データが読み出され，前記Ｘ線画像が作成されることを特徴とするＸ線透視撮影台。」　
　　
２　引用刊行物の記載事項　
　原査定の拒絶の理由に引用した刊行物１の記載事項は，前記「第２［理由］３（１）」に記載したとおりである。
　　
３　本願発明と引用発明との対比・判断　
　本願発明は，上記「第２［理由］３（２）」で検討した本願補正発明から，
（１）「前記Ｘ線透視画像を撮影する際，前記２次元Ｘ線検出器を前記Ｘ線の照射外である退避位に位置させて」とあったところを「前記２次元Ｘ線検出器は前記Ｘ線の照射外に位置させて」と，
（２）「前記Ｘ線画像を撮影する際，前記移動手段により前記２次元Ｘ線検出器を前記退避位から撮影位に移動させ」とあったところを「前記移動手段により前記２次元Ｘ線検出器を撮影位に移動させ」と，
（３）「前記Ｘ線画像を撮影終了後，前記移動手段により前記２次元Ｘ線検出器を前記退避位に移動させ，前記退避位において前記２次元Ｘ線検出器に記憶された前記画像データが読み出され」とあったところを「前記移動手段により前記２次元Ｘ線検出器が前記Ｘ線の照射外に移動されて，前記２次元Ｘ線検出器に記憶された前記画像データが読み出され」と，
それぞれ限定を解除したものに相当する。
　
　そうすると，本願発明の構成要件を全て含み，更に他の要件を付加したものに相当する本願補正発明が前記「第２［理由］３（３）」に記載したとおり，引用発明及び周知の事項に基づいて，当業者が容易に発明をすることができたものであるから，本願発明も，同様の理由により，引用発明及び周知の事項に基づいて当業者が容易に発明をすることができたものである。
　
４　むすび　
　以上のとおり，本願発明は，本願出願前に頒布された刊行物１及び周知の事項に基づいて当業者が容易に発明をすることができたものであり，特許法第２９条第２項の規定により特許を受けることができない。
　よって，結論のとおり審決する。